(57)【要約】【課題】相手接続部の挿入作業性を向上することができる接続端子を提供する。【解決手段】相手端子３のタブ状の相手接続部５が挿入可能な箱状の接続部７と、この接続部７内に弾性変形可能に設けられ相手接続部５に接触される接点部とを備えた接続端子１において、接続部７の第１壁部１１に、接点部を設け、接続部７の第３壁部１５と第４壁部１７とに、相手接続部５の挿入方向の上流側から下流側に向けて上り傾斜となる傾斜部１９，２１を接続部７の内部に向けて突設した。【選択図】図６
2015207406.tif 000002
【特許請求の範囲】
【請求項１】
相手端子のタブ状の相手接続部が挿入可能な箱状の接続部と、この接続部内に弾性変形可能に設けられ前記相手接続部に接触される接点部とを備えた接続端子であって、
前記接続部は、少なくとも対向して配置された第１壁部と第２壁部と、前記第１壁部と前記第２壁部とが対向する方向と直交する方向に対向して配置された第３壁部と第４壁部とを有し、
前記接点部は、少なくとも前記第１壁部と前記第２壁部とのうちいずれか一方に設けられ、
前記第３壁部と前記第４壁部とには、前記相手接続部の挿入方向の上流側から下流側に向けて上り傾斜となる傾斜部が前記接続部の内部に向けて突設されていることを特徴とする接続端子。
【請求項２】
請求項１記載の接続端子であって、
前記第３壁部と前記第４壁部とには、それぞれ前記傾斜部の前記相手接続部の挿入方向の上流側の端部に前記相手接続部を前記傾斜部に案内するガイド凹部が設けられていることを特徴とする接続端子。
【請求項３】
請求項１又は２記載の接続端子であって、
前記第３壁部の前記傾斜部と前記第４壁部の前記傾斜部とは、前記相手接続部の挿入方向の下流側のそれぞれの端部が前記相手接続部に接触することを特徴とする接続端子。
【請求項４】
請求項１乃至３のいずれか１項に記載の接続端子であって、
前記第１壁部と前記第２壁部とのうち他方には、前記相手接続部に接触される補助接点部が設けられていることを特徴とする接続端子。
【発明の詳細な説明】
【技術分野】
【０００１】
本発明は、接続端子に関する。詳細には、雄型端子のタブ状の接続部が挿入される箱状の接続部を有する雌型端子に関する。
【背景技術】
【０００２】
従来、接続端子としては、相手端子のタブ状の相手接続部が挿入可能な箱状の接続部と、この接続部内に弾性変形可能に設けられ相手接続部に接触される接点部とを備えたものが知られている（例えば、特許文献１参照）。
【０００３】
この接続端子では、第１壁部としての底壁に接点部が設けられ、第３壁部と第４壁部としての両側壁に相手接続部に接触可能な４つの突起が設けられ、この４つの突起が接続部の開口付近と接点部付近とに配置されている。
【０００４】
このような接続端子では、接続部に相手端子の相手接続部を挿入させると、４つの突起が相手接続部の移動を規制しつつ、相手接続部の先端側が４つの突起の挿入方向間に配置されている場合、相手接続部の揺動が可能となり挿入作業性を向上することができる。
【先行技術文献】
【特許文献】
【０００５】
【特許文献１】特開２０１０−２５１２１４号公報
【発明の概要】
【発明が解決しようとする課題】
【０００６】
しかしながら、上記特許文献１のような接続端子では、接続部内に相手接続部の挿入方向に離間された４つの突起が設けられているので、相手接続部の挿入初期、或いは相手接続部の先端側が４つの突起の挿入方向間に位置しているとき、相手接続部の先端と突起とが衝突し、スムーズな相手接続部の挿入を行うことができず、相手接続部の挿入作業性が低下する恐れがあった。
【０００７】
そこで、この発明は、相手接続部の挿入作業性を向上することができる接続端子の提供を目的としている。
【課題を解決するための手段】
【０００８】
請求項１記載の発明は、相手端子のタブ状の相手接続部が挿入可能な箱状の接続部と、この接続部内に弾性変形可能に設けられ前記相手接続部に接触される接点部とを備えた接続端子であって、前記接続部は、少なくとも対向して配置された第１壁部と第２壁部と、前記第１壁部と前記第２壁部とが対向する方向と直交する方向に対向して配置された第３壁部と第４壁部とを有し、前記接点部は、少なくとも前記第１壁部と前記第２壁部とのうちいずれか一方に設けられ、前記第３壁部と前記第４壁部とには、前記相手接続部の挿入方向の上流側から下流側に向けて上り傾斜となる傾斜部が前記接続部の内部に向けて突設されていることを特徴とする。
【０００９】
この接続端子では、第３壁部と第４壁部とに、相手接続部の挿入方向の上流側から下流側に向けて上り傾斜となる傾斜部が接続部の内部に向けて突設されているので、相手接続部の挿入時の揺動を可能にして挿入作業性を向上しつつ、相手接続部の挿入完了時の挿入方向と交差する方向への移動を規制することができる。
【００１０】
また、傾斜部は、相手接続部の挿入方向の上流側から下流側に向けて上り傾斜となっているので、相手接続部の挿入時に相手接続部の先端と衝突する部分がなく、相手接続部の挿入をスムーズに行うことができる。
【００１１】
従って、このような接続端子では、第３壁部と第４壁部とにそれぞれ設けられた傾斜部によって、相手接続部の挿入作業性を向上することができる。
【００１２】
請求項２記載の発明は、請求項１記載の接続端子であって、前記第３壁部と前記第４壁部とには、それぞれ前記傾斜部の前記相手接続部の挿入方向の上流側の端部に前記相手接続部を前記傾斜部に案内するガイド凹部が設けられていることを特徴とする。
【００１３】
この接続端子では、第３壁部と前記第４壁部とに、それぞれ傾斜部の相手接続部の挿入方向の上流側の端部に相手接続部を傾斜部に案内するガイド凹部が設けられているので、相手接続部を容易に傾斜部に導くことができ、相手接続部の挿入作業を安定化することができる。
【００１４】
請求項３記載の発明は、請求項１又は２記載の接続端子であって、前記第３壁部の前記傾斜部と前記第４壁部の前記傾斜部とは、前記相手接続部の挿入方向の下流側のそれぞれの端部が前記相手接続部に接触することを特徴とする。
【００１５】
この接続端子では、第３壁部の傾斜部と第４壁部の傾斜部とが、相手接続部の挿入方向の下流側のそれぞれの端部が相手接続部に接触するので、相手接続部の挿入完了時に相手接続部が挿入方向と交差する方向に移動することがなく、接点部と相手接続部との接触を安定化することができる。
【００１６】
請求項４記載の発明は、請求項１乃至３のいずれか１項に記載の接続端子であって、前記第１壁部と前記第２壁部とのうち他方には、前記相手接続部に接触される補助接点部が設けられていることを特徴とする。
【００１７】
この接続端子では、第１壁部と第２壁部とのうち他方に、相手接続部に接触される補助接点部が設けられているので、相手接続部を接点部と補助接点部とで挟み込むことができ、相手接続部と接続部との導通を確実に行うことができる。
【発明の効果】
【００１８】
本発明によれば、相手接続部の挿入作業性を向上することができる接続端子を提供することができるという効果を奏する。
【図面の簡単な説明】
【００１９】
【図１】本発明の実施の形態に係る接続端子が電線の端末部に設けられたときの斜視図である。
【図２】本発明の実施の形態に係る接続端子が収容されるハウジングの斜視図である。
【図３】本発明の実施の形態に係る接続端子の一部を断面とした斜視図である。
【図４】本発明の実施の形態に係る接続端子の一部を断面とした上面図である。
【図５】本発明の実施の形態に係る接続端子に相手端子を接続させるときの一部を断面とした上面図である。
【図６】本発明の実施の形態に係る接続端子に相手端子を接続させたときの一部を断面とした上面図である。
【発明を実施するための形態】
【００２０】
図１〜図６を用いて本発明の実施の形態に係る接続端子について説明する。
【００２１】
本実施の形態に係る接続端子１は、相手端子３のタブ状の相手接続部５が挿入可能な箱状の接続部７と、この接続部７内に弾性変形可能に設けられ相手接続部５に接触される接点部９とを備えている。
【００２２】
また、接続部７は、少なくとも対向して配置された第１壁部１１と第２壁部１３と、第１壁部１１と第２壁部１３とが対向する方向と直交する方向に対向して配置された第３壁部１５と第４壁部１７とを有し、接点部９は、第１壁部１１に設けられている。
【００２３】
そして、第３壁部１５と第４壁部１７とには、それぞれ相手接続部５に接触可能で相手接続部５の挿入方向の上流側から下流側に向けて上り傾斜となる傾斜部１９，２１が接続部７の内部に向けて突設されている。
【００２４】
また、第３壁部１５と第４壁部１７とには、それぞれ傾斜部１９，２１の相手接続部５の挿入方向の上流側の端部に相手接続部５を傾斜部１９，２１に案内するガイド凹部２３，２５が設けられている。
【００２５】
さらに、第３壁部１５の傾斜部１９と第４壁部１７の傾斜部２１とは、相手接続部５の挿入方向の下流側のそれぞれの端部が相手接続部５に接触する。
【００２６】
また、第２壁部１３には、相手接続部５に接触される補助接点部２７，２７が設けられている。
【００２７】
図１，図２に示すように、接続端子１は、電線２９の端末部に電気的に接続された後、ハウジング３１内に収容される。ハウジング３１は、合成樹脂などの絶縁性材料からなり、一側面側に相手ハウジング（不図示）が挿入されるフード部３３が設けられ、他側面側に複数の接続端子１が挿入される複数の端子収容室３５が設けられている。
【００２８】
このハウジング３１には、フード部３３に電源や機器などに接続された複数の相手端子３（図６参照）を収容する相手ハウジングが嵌合され、複数の端子収容室３５に収容された接続端子１が相手端子３に電気的に接続される。
【００２９】
接続端子１は、導電性材料からなり、電源や機器などに接続された電線２９の端末部に一端側に設けられた一対の圧着片からなる圧着部３７を圧着させることにより電線２９と電気的に接続される。
【００３０】
なお、圧着部３７には、電線２９とハウジング３１とに密着してハウジング３１内を防水するシール部材４１を固定する一対の加締片が設けられている。
【００３１】
この接続端子１は、他端側に箱状の接続部７が設けられた雌型端子となっており、接続部７側をハウジング３１のフード部３３側に向けて端子収容室３５内に収容される。なお、接続端子１の接続部７には、端子収容室３５内に撓み可能に設けられた係止ランス（不図示）が係止され、ハウジング３１からの抜け止めがなされる。
【００３２】
このように端子収容室３５に収容された接続端子１は、ハウジング３１のフード部３３に相手ハウジングを嵌合することにより、雄型端子からなる相手端子３のタブ状の相手接続部５が接続部７内に挿入され、接続部７内に設けられた接点部９が相手接続部５に接触することによって接続端子１と相手端子３とが電気的に接続される。
【００３３】
図３〜図６に示すように、箱状の接続部７は、四角形状に形成され、対向して配置された底壁としての第１壁部１１と上壁としての第２壁部１３と、第１壁部１１と第２壁部１３とが対向する方向と直交する方向に対向して配置された一対の側壁としての第３壁部１５と第４壁部１７とを有する。
【００３４】
この接続部７を構成する第１壁部１１には接点部９が設けられ、第２壁部１３には補助接点部２７，２７が設けられ、第３壁部１５と第４壁部１７とにはそれぞれ傾斜部１９，２１が設けられている。
【００３５】
接点部９は、弾性片４５と、接触部４７とを備えている。弾性片４５は、第１壁部１１の端部を基端とするように第２壁部１３側に向けて折り曲げ加工され、折り曲げられた端部が自由端となるように弾性変形可能に設けられている。
【００３６】
なお、弾性片４５の自由端は、第１壁部１１に第２壁部１３側に向けて折り曲げ加工された補助弾性片４９に当接可能とされており、相手接続部５と接触部４７との接触により弾性片４５が両持ち状に弾性変形され、相手接続部５と接触部４７との接触荷重が高められている。
【００３７】
接触部４７は、弾性片４５の自由端側に打ち出し加工などによって第２壁部１３側に向けて半球状に突設されている。この接触部４７は、接続部７に挿入される相手接続部５に弾性片４５の付勢力によって接触される。このような接触部４７の上方には、補助接点部２７，２７が配置されている。
【００３８】
補助接点部２７，２７は、第２壁部１３の相手接続部５の挿入方向の上流側と下流側とに打ち出し加工などによって第１壁部１１側に向けて突設されている。この補助接点部２７，２７は、接続部７に挿入される相手接続部５に接触される。
【００３９】
このような接点部９と補助接点部２７，２７とは、接続部７に挿入される相手接続部５に対して上下方向から挟み込むように接触して相手端子３との導通を確実にすると共に、相手接続部５の上下方向の移動を規制する。
【００４０】
傾斜部１９，２１は、第３壁部１５と第４壁部１７とに、それぞれ打ち出し加工などによって相手接続部５の挿入方向の上流側から下流側に向けて上り傾斜となるように互いが近接する方向に向けて突設され、相手接続部５に接触可能となっている。
【００４１】
このように傾斜部１９，２１を傾斜させることにより、傾斜部１９，２１の間は、相手接続部５の挿入方向の上流側より下流側の方が狭く設定される。この傾斜部１９，２１の相手接続部５の挿入方向の下流側の端部間は、相手接続部５の幅とほぼ同等に設定されている。
【００４２】
このため、相手接続部５を接続部７内に挿入させると、相手接続部５が完全に接続部７内に挿入されるまでは、相手接続部５が挿入方向と交差する方向（ここでは左右方向）に揺動可能となり、挿入力が増大することがなく、相手接続部５の挿入作業性を向上することができる。
【００４３】
加えて、傾斜部１９，２１は、単なる傾斜面であり、突起などが設けられていないので、相手接続部５の先端と衝突する部分がなく、相手接続部５の挿入を阻害することがない。
【００４４】
一方、傾斜部１９，２１の相手接続部５の挿入方向の下流側の端部間は、相手接続部５の幅とほぼ同等に設定されているので、相手接続部５が完全に接続部７内に挿入された状態で、相手接続部５が傾斜部１９，２１の端部に挟み込まれるように接触されている。
【００４５】
このため、相手接続部５が完全に接続部７内に挿入された状態では、相手接続部５が挿入方向と交差する方向に移動することがなく、相手端子３と接続端子１との導通を安定化させることができる。このような傾斜部１９，２１には、ガイド凹部２３，２５によって相手接続部５が案内される。
【００４６】
ガイド凹部２３，２５は、第３壁部１５と第４壁部１７とに、それぞれ傾斜部１９，２１の相手接続部５の挿入方向の上流側の端部に切欠き加工などによって設けられている。このガイド凹部２３，２５は、相手接続部５の上流側の端部から傾斜部１９，２１に向けて縮径するように相手接続部５の上流側の端部が開口して設けられている。
【００４７】
このようなガイド凹部２３，２５は、相手接続部５を接続部７内に挿入する際に、相手接続部５の先端側と係合し、相手接続部５を傾斜部１９，２１に案内する。このようにガイド凹部２３，２５を設けることにより、相手接続部５の挿入作業を容易に行うことができ、相手接続部５の挿入作業性をさらに向上することができる。
【００４８】
このような接続端子１では、第３壁部１５と第４壁部１７とに、それぞれ相手接続部５に接触可能で相手接続部５の挿入方向の上流側から下流側に向けて上り傾斜となる傾斜部１９，２１が接続部７の内部に向けて突設されているので、相手接続部５の挿入時の揺動を可能にして挿入作業性を向上しつつ、相手接続部５の挿入完了時の挿入方向と交差する方向への移動を規制することができる。
【００４９】
また、傾斜部１９，２１は、相手接続部５の挿入方向の上流側から下流側に向けて上り傾斜となっているので、相手接続部５の挿入時に相手接続部５の先端と衝突する部分がなく、相手接続部５の挿入をスムーズに行うことができる。
【００５０】
従って、このような接続端子１では、第３壁部１５と第４壁部１７とにそれぞれ設けられた傾斜部１９，２１によって、相手接続部の挿入作業性を向上することができる。
【００５１】
また、第３壁部１５と第４壁部１７とには、それぞれ傾斜部１９，２１の相手接続部５の挿入方向の上流側の端部に相手接続部５を傾斜部１９，２１に案内するガイド凹部２３，２５が設けられているので、相手接続部５を容易に傾斜部１９，２１に導くことができ、相手接続部５の挿入作業を安定化することができる。
【００５２】
さらに、第３壁部１５の傾斜部１９と第４壁部１７の傾斜部２１とは、相手接続部５の挿入方向の下流側のそれぞれの端部が相手接続部５に接触するので、相手接続部５の挿入完了時に相手接続部５が挿入方向と交差する方向に移動することがなく、接点部９と相手接続部５との接触を安定化することができる。
【００５３】
また、第２壁部１３には、相手接続部５に接触される補助接点部２７，２７が設けられているので、相手接続部５を接点部９と補助接点部２７，２７とで挟み込むことができ、相手接続部５と接続部７との導通を確実に行うことができる。
【００５４】
なお、本発明の実施の形態に係る接続端子では、箱状の接続部が第１壁部と第２壁部と第３壁部と第４壁部とで構成される四角形状に形成されているが、これに限らず、八角形状など、少なくとも第１壁部と第２壁部と第３壁部と第４壁部とを有する多角形状であってもよい。加えて、五角形や六角形などの隅部も第２壁部や第３壁部及び第４壁部とすることもでき、箱状であれば接続部はどのような形状であってもよい。
【００５５】
また、補助接点部は、相手接続部の挿入方向に沿って２箇所設けられた突起となっているが、これに限らず、２箇所以上の突起、或いは相手接続部の挿入方向に沿って連続する１本、もしくは複数の突条など、相手接続部に接触できる形状であればどのような形状であってもよい。加えて、補助接点部を接点部と同様に弾性変形可能に設けてもよい。
【符号の説明】
【００５６】
１…接続端子
３…相手端子
５…相手接続部
７…接続部
９…接点部
１１…第１壁部
１３…第２壁部
１５…第３壁部
１７…第４壁部
１９，２１…傾斜部
２３，２５…ガイド凹部
２７…補助接点部
【図１】
2015207406.tif 000003
【図２】
2015207406.tif 000004
【図３】
2015207406.tif 000005
【図４】
2015207406.tif 000006
【図５】
2015207406.tif 000007
【図６】
2015207406.tif 000008